(57)【特許請求の範囲】
【請求項１】
天井板の開口部に嵌められて建物側に固定されるほぼ逆Ｔ字状の外枠と、前記外枠の立ち上がり壁の下端の内側に張り出す板部の内周縁に沿う１側辺の端面に形成された係合片に回動自在に係合する係合片を立ち上がり壁の下端の外側に張り出す板部の１側辺外側に備え外枠の内部空間を開閉する断面形状がほぼ逆Ｔ字状の内枠と、この内枠の内側下端の板部上に載る蓋材とを備え、前記内枠の係合片を係合させようとする係合片を下端に備えた外枠の立ち上がり壁に形成された孔部に側面形状が⊃状の弾性を有する脱落防止具を嵌入係合させて取り付けてなり、内枠の係合片の浮き上がりを規制するように構成した天井点検口であって、前記側面形状が⊃状の脱落防止具は上側の先端部に上向きの折り曲げ部が、下側の先端部に下向きの折り曲げ部がそれぞれ形成されており、これらの折り曲げ部の内側位置において上下の先端部外面に凹状部が形成されており、下側の凹状部を外枠の立ち上がり壁の孔部の下端に係止させるとともに上側の凹状部を外枠の立ち上がり壁の孔部の上端に係止させるように構成し、孔部の一端には上下方向の中央で孔部内方に突出する突出片が形成され、脱落防止具を孔部内で横方向にスライドさせて孔部の一端位置で前記突出片を脱落防止具の上下の先端部間で挟むように構成したことを特徴とする天井点検口。
【発明の詳細な説明】
【０００１】
【発明の属する技術分野】
本発明は、天井点検口に関するものである。
【０００２】
【従来の技術】
従来から一般に知られている天井点検口は図７〜図９に示すように、天井板１の開口部１ａに嵌められて建物側に固定されるアルミニウム製の断面形状がほぼ逆Ｔ字状の外枠２と、この外枠２の立ち上がり壁３の下端の内側に張り出す板部４の内周縁に沿う１側辺の端面に形成された係合片５に回動自在に係合する係合片６を立ち上がり壁７の下端の外側に張り出す板部８の１側辺外側に備え外枠２の内部空間を開閉するアルミニウム製の断面形状がほぼ逆Ｔ字状の内枠９と、この内枠９の内側下端の板部１０上に載り前記天井板１と同じ材料の蓋材１１とを備え、この蓋材１１が取り付けられた内枠９により外枠２の内部空間を閉じた状態において内枠９の下端の板部８の外周が前記外枠２の下端の板部４に近接するように構成されている。１２は前記係合片５に対する係合片６の係合が外れないように係合片６の上部に当接させるために前記外枠２の立ち上がり壁３に形成された一対の切り起こし爪片である。
【０００３】
このような構成の天井点検口において、蓋材１１が取り付けられた内枠９を外枠２に取り付けるときは外枠２の係合片５に内枠９の係合片６を係合させ、かかる状態で前記切り起こし爪片１２を立ち上がり壁３の内側に切り起こして係合片６が浮き上がろうとしたときに係合片６の上部が当接することにより係合片５からの係合片６の脱落を防止している。
【０００４】
つまり、前記従来例では係合片５に対する係合片６の脱落を防止するために切り起こし爪片１２を切り起こさなければならず、切り起こしのための工具を必要とし、その作業が面倒であるという問題があった。
【０００５】
【発明が解決しようとする課題】
本発明はこのような課題を解決するもので、前記従来例のような工具を使用することなく簡単な作業により外枠の係合片に対する内枠の係合片の脱落を防止できるようにすることを目的とするものである。
【０００６】
【課題を解決するための手段】
この課題を解決するために本発明は、天井板の開口部に嵌められて建物側に固定されるほぼ逆Ｔ字状の外枠と、前記外枠の立ち上がり壁の下端の内側に張り出す板部の内周縁に沿う１側辺の端面に形成された係合片に回動自在に係合する係合片を立ち上がり壁の下端の外側に張り出す板部の１側辺外側に備え外枠の内部空間を開閉する断面形状がほぼ逆Ｔ字状の内枠と、この内枠の内側下端の板部上に載る蓋材とを備え、前記内枠の係合片を係合させようとする係合片を下端に備えた外枠の立ち上がり壁に形成された孔部に側面形状が⊃状の弾性を有する脱落防止具を嵌入係合させて取り付けてなり、内枠の係合片の浮き上がりを規制するように構成した天井点検口であって、前記側面形状が⊃状の脱落防止具は上側の先端部に上向きの折り曲げ部が、下側の先端部に下向きの折り曲げ部がそれぞれ形成されており、これらの折り曲げ部の内側位置において上下の先端部外面に凹状部が形成されており、下側の凹状部を外枠の立ち上がり壁の孔部の下端に係止させるとともに上側の凹状部を外枠の立ち上がり壁の孔部の上端に係止させるように構成し、孔部の一端には上下方向の中央で孔部内方に突出する突出片が形成され、脱落防止具を孔部内で横方向にスライドさせて孔部の一端位置で前記突出片を脱落防止具の上下の先端部間で挟むように構成したことを要旨とするものである。
【０００７】
この構成により、前記従来例のような起こし爪片を切り起こすための工具を使用することなく、内枠を外枠に取り付ける前に予め脱落防止具を外枠にセットしておくことにより外枠に対する内枠の脱落を防止することができるようになる。
【０００８】
【発明の実施の形態】
以下、本発明の一実施の形態について、図面に基づいて説明する。
図１〜図６において、本実施の形態の天井点検口は、前記従来例と同様に、天井板２１の開口部２１ａに嵌められて建物側に固定されるアルミニウム製の断面形状がほぼ逆Ｔ字状で平面形状が正方形の外枠２２と、この外枠２２の立ち上がり壁２３の下端の内側に張り出す板部２４の内周縁に沿う１側辺の端面に形成された係合片２５に回動自在に係合する係合片２６を立ち上がり壁２７の下端の外側に張り出す板部２８の１側辺外側に備え外枠２２の正方形の内部空間を開閉するアルミニウム製の断面形状がほぼ逆Ｔ字状で平面形状が正方形の内枠２９と、この内枠２９の内側下端の板部３０上に載り前記天井板２１と同じ材料の蓋材３１とを備え、この蓋材３１が取り付けられた内枠２９により外枠２２の内部空間を閉じた状態において内枠２９の下端の板部２８の外周が前記外枠２２の下端の板部２４に近接するように構成されている。ところで、本実施の形態の天井点検口において外枠２２の正方形の内部空間は前記立ち上がり壁２３の下端の内側に張り出す４枚の板部２４によって形成され、各板部２４の内周縁に沿う端面に係合片２５が形成されており、何れかの板部２４の係合片２５に内枠２９の係合片２６が係合するようになっている。そして、外枠２２の係合片２５に対する内枠２９の係合片２６の脱落を防止するために、本実施の形態では外枠２２の４枚の各立ち上がり壁２３の横長さ方向中央部に脱落防止具取り付け用の孔部３２が形成されており、内枠２９の係合片２６を係合させようとする係合片２５を下端に備えた立ち上がり壁２３の孔部３２に合成樹脂製の弾性を有する脱落防止具３３を嵌入係合させて取り付けている。前記脱落防止具３３は側面形状が⊃状を呈し、上側の先端部には上向きの折り曲げ部３４が、下側の先端部には下向きの折り曲げ部３５がそれぞれ形成されており、これらの折り曲げ部３４，３５の内側位置において上下の先端部外面に凹状部３６，３７が形成されており、さらに上側の折り曲げ部３４の上端中央に半円形の凸部３８が形成されている。一方、前記立ち上がり壁２３に形成された脱落防止具取り付け用の孔部３２は横方向に長い形状を呈し、横方向の長さのほぼ半分が孔部３２に対する脱落防止具３３の脱着部となり、横方向の長さの残りのほぼ半分が孔部３２に対する脱落防止具３３の取り付け部となる。そして、前記脱落防止具３３の脱着部での孔部３２の上端には前記脱落防止具３３の凸部３８が嵌り込むように半円形の凹部３９が形成されている。また、前記孔部３２の上端には脱落防止具３３の脱着部と脱落防止具３３の取り付け部との境界部に傾斜状態の段差４０が形成されている。具体的には、脱落防止具３３の脱着部の上下方向の幅よりも脱落防止具３３の取り付け部の上下方向の幅が大きくなるように段差４０が形成されている。さらに、前記脱落防止具３３の取り付け部における孔部３２の終端には上下方向の中央で孔部３２内方に突出する突出片４１が形成されている。
【０００９】
上記構成において、天井板２１の開口部２１ａに嵌められて建物側に固定された外枠２２に対し内枠２９を取り付ける場合は、外枠２２の立ち上がり壁２３の下端の何れかの板部２４の係合片２５に内枠２９の係合片２６を係合させる。これにより内枠２９は外枠２２に対し回動自在となるが、係合片２６を係合片２５に係合させただけでは内枠２９に下方から力がかかった場合に係合片２６は係合片２５から浮き上がって簡単に外れるという問題がある。そこで、本実施の形態では前記係合片２５に対する係合片２６の係合部において前記外枠２２の立ち上がり壁２３に形成された孔部３２に脱落防止具３３を取り付けることによって係合片２６が浮き上がろうとしても係合片２５から外れるのを防止しようとしている。前記孔部３２に対する脱落防止具３３の取り付けは、前記外枠２２に対し内枠２９を取り付ける前に行なわれ、前記孔部３２における脱落防止具３３の脱着部に脱落防止具３３を位置せしめ、脱落防止具３３の下側の先端部の折り曲げ部３５を孔部３２内に押し込み、折り曲げ部３５の内側位置の凹状部３７を孔部３２の下端に係止させ、かかる状態で前記半円形の凸部３８を孔部３２の半円形の凹部３９に合致させながら上側の先端部の折り曲げ部３４を下方に変移させて孔部３２内に押し込み、上側の先端部の折り曲げ部３４の内側位置の凹状部３６を孔部３２の上端に係止させる。これにより孔部３２に対する脱落防止具３３の取り付けがなされるのであり、この状態で前記外枠２２の係合片２５に内枠２９の係合片２６を係合させる。そのとき内枠２９の係合片２６で脱落防止具３３を下から押し上げるような力をかけながら脱落防止具３３を弾性に抗して下側の先端部の折り曲げ部３５を上方に変移させ、内枠２９の係合片２６を外枠２２の係合片２５に係合させる。外枠２２の係合片２５を乗り越えて係合片２５に内枠２９の係合片２６が係合すると内枠２９の係合片２６による脱落防止具３３の下からの押し付け力が解除されると同時に脱落防止具３３は弾性により復元しそれまで浮き上がっていた凹状部３７は孔部３２の下端に係止する。その後、脱落防止具３３を前記孔部３２における脱落防止具３３の取り付け部に横方向にスライドさせる。脱落防止具３３の取り付け部は前述のように段差４０により上下方向の幅が大きくなっており、脱落防止具３３は上下の先端部間の間隔がやや開いた状態となり、前記孔部３２の終端の突出片４１を挟むようになる。これにより内枠２９の取り付け状態、特に開閉動作時において内枠２８に下から持ち上がるような力がかかって内枠２９の係合片２６が外枠２２の係合片２５を乗り越えようとしたとき、内枠２９の係合片２６は脱落防止具３３を下から突き上げるが、脱落防止具３３の上下の先端部間には前記突出片４１が存在するので、脱落防止具３３の上下の先端部間の間隔は縮まることができず、つまり脱落防止具３３の下側の先端部が上方に変移することは殆どなく、内枠２９の係合片２６が外枠２２の係合片２５を乗り越えることが不可能となって外枠２２からの内枠２９の脱落を防止することができる。
【００１０】
なお、内枠２９を外枠２２から外したい場合は、脱落防止具３３を前記孔部３２における脱落防止具３３の脱着部にスライドさせ、取り付け時とは逆の手順で作業を行なえば良い。
【００１１】
ところで、前記脱落防止具３３は合成樹脂を材料として弾性を有するように作られているが、金属製の板ばね材により作られたものでも良い。
【００１２】
【発明の効果】
以上のように本発明によれば、前記従来例のような起こし爪片を切り起こすための工具を使用することなく、内枠を外枠に取り付ける前に予め脱落防止具を外枠にセットしておくことにより外枠に対する内枠の脱落を防止することができるようになる。
【図面の簡単な説明】
【図１】本発明の一実施の形態における天井点検口の斜視図である。
【図２】同天井点検口の要部の分解斜視図である。
【図３】（Ａ）〜（Ｃ）は同脱落防止具の取り付け手順を示す断面図である。
【図４】同天井点検口の内枠が閉じた状態を示す断面図である。
【図５】同天井点検口の内枠が開いた状態を示す断面図である。
【図６】同天井点検口の内枠の外れ防止状態を示す断面図である。
【図７】従来例における天井点検口の要部の分解斜視図である。
【図８】同天井点検口の内枠が閉じた状態を示す断面図である。
【図９】同天井点検口の内枠が開いた状態を示す断面図である。
【符号の説明】
２１          天井板
２１ａ        開口部
２２          外枠
２３          立ち上がり壁
２４          板部
２５，２６    係合片
２７          立ち上がり壁
２８          板部
２９          内枠
３０          板部
３１          蓋材
３２          孔部
３３          脱落防止具
３４，３５    折り曲げ部
３６，３７    凹状部
３８          凸部
３９          凹部
４０          段差
４１          突出片
【図１】
0003901485.tif 000002
【図２】
0003901485.tif 000003
【図３】
0003901485.tif 000004
【図４】
0003901485.tif 000005
【図５】
0003901485.tif 000006
【図６】
0003901485.tif 000007
【図７】
0003901485.tif 000008
【図８】
0003901485.tif 000009
【図９】
0003901485.tif 000010